(57)【要約】【課題】  特定の技術を要することなく製作できる、軽量にしてシンプルな構造の照明灯及びそれに使用するＬＥＤモジュール組立体を提供する。  【解決手段】複数個のＬＥＤ素子（３０）が絶縁基板（３３）の上に面状に点在配置されている第一ＬＥＤモジュール（３１）と、そこから放射方向の外方に向かって延びる、複数個のＬＥＤ素子が絶縁基板（３４）の上に線状に点在配置されている複数個の第二ＬＥＤモジュール（３２）とからなるＬＥＤモジュール組立体（１４）を用意して、それを、凹状断面の下部殻体（１２）と下向き凹状断面の上部殻体（１１）とからなるシェル状殻体（１３）内に収容するとともに、そのシェル状殻体の外端部に前記上部殻体と下部殻体を緊束する緊束金具（１９）を嵌め込んで１基の照明灯を完成する。【選択図】図５
2015149202.tif 000002
【特許請求の範囲】
【請求項１】
複数個のＬＥＤ素子（３０）が面状に配置されている第一ＬＥＤモジュール（３１）と、そこから放射方向の外方に向かって延びる、複数個のＬＥＤ素子が線状に配置されている第二ＬＥＤモジュール（３２）とからなるＬＥＤモジュール組立体。
【請求項２】
前記第一ＬＥＤモジュール（３１）の平面と前記第二ＬＥＤモジュールの平面とを合体させた平面形状の中央領域（Ｃ）が他の領域より広がっている請求項１記載のＬＥＤモジュール組立体。
【請求項３】
前記平面形状がＹ字形をなしている請求項２記載のＬＥＤモジュール組立体。
【請求項４】
前記平面形状がＸ字形をなしている請求項２記載のＬＥＤモジュール組立体。
【請求項５】
前記平面形状が＋字形をなしている請求項２記載のＬＥＤモジュール組立体。
【請求項６】
前記平面形状が星形をなしている請求項２記載のＬＥＤモジュール組立体。
【請求項７】
前記平面形状が＊字形をなしている請求項２記載の照明器具用ＬＥＤモジュール組立体。
【請求項８】
前記平面形状が米字形をなしている請求項２記載のＬＥＤモジュール組立体。
【請求項９】
前記平面形状がＩ字形をなしている請求項２記載のＬＥＤモジュール組立体。
【請求項１０】
複数個のＬＥＤ素子（３０）が面状に配置されている第一ＬＥＤモジュール（３１）と、そこから放射方向の外方に向かって延びる、複数個のＬＥＤ素子が線状に配置されている複数個の第二ＬＥＤモジュール（３２）とからなるＬＥＤモジュール組立体（１４）と、その組立体を内部に収納する上部殻体（１１）と下部殻体（１２）とからなるシェル状殻体（１３）とからなる照明灯。
【請求項１１】
前記上部殻体（１１）が、前記第一、第二ＬＥＤモジュール（１４）を固定する取付け部位（１５、１６）を備えている請求項１０記載の照明灯。
【請求項１２】
前記上部殻体（１１）が、前記照明灯（１０）自体を空中に吊り下げるための吊下げ索（５０）の釣鐘状係止金具（４８）を備えている請求項１０記載の照明灯。
【請求項１３】
前記上部殻体（１１）が、前記照明灯（１０）自体を空中に吊り下げるための吊下げ索（５０）の釣鐘状係止金具（４８）を備えているとともに、前記吊下げ索にＬＥＤ素子（３０）に電力を導通させる導電線（３８）を同伴させてある請求項１０記載の照明灯。
【請求項１４】
複数個のＬＥＤ素子（３０）が面状に配置されている第一ＬＥＤモジュール（３１）と、そこから放射方向の外方に向かって延びる、複数個のＬＥＤ素子が線状に配置されている複数個の第二ＬＥＤモジュール（３２）とからなるＬＥＤモジュール組立体（１４）と、その組立体を内部に収納する上部殻体（１１）と下部殻体（１２）とからなるシェル状殻体（１３）と、前記シェル状殻体の先端において上部殻体と下部殻体を緊束する緊束金具（１９）とからなる照明灯。
【発明の詳細な説明】
【技術分野】
【０００１】
本発明は、ＬＥＤモジュール組立体及びこれを使用する照明灯に関するものである。
【背景技術】
【０００２】
従来から、平面形状がＸ字形照明灯は公知である（意匠登録第１２５４８４３号公報）。この照明灯は、図１６及び図１７に示すように、平面形状が略Ｘ字形をなす上下部殻体１，２からなるシェル状殻体３と、その中に途中が屈曲した２本のフレーム４と、そのフレーム４のそれぞれに同伴・固定した、前記フレーム４と同様に途中が屈曲している蛍光灯５とからなっている。
【０００３】
この照明灯は、それまで周知の直管型又はヘアピン管型、環状管型の蛍光灯と比較すると、斬新な外観を有するのみならず、複数個のそれらを環状に連結したり面状に連結したりできる環状化又は面状化機能を内在しているとともに、その機能を顕在させた照明装置は、比較的大きな建物の空間を照らす照明灯として、優れた機能を発揮する。
【先行技術文献】
【非特許文献】
【０００４】
【非特許文献１】意匠登録第１２５４８４３号公報
【発明の概要】
【発明が解決しようとする課題】
【０００５】
しかしながら、前記照明灯は次の点において、なお解決しなければならない問題を擁している。第一に蛍光灯をその途中を屈曲しなければならないので、相応して、前記照明灯の製作過程が煩雑になるのみならず、蛍光管自体の外形性能を所定の仕様に合わせるには、相当、熟練した技術を要する。第二に、蛍光灯そのものの性能を良好に維持するために、図１６において矢印Ｙに示すように、前記照明灯の４個所に外部と導通する導電線を接続する必要がある。これは、必然的に蛍光灯の両端に設けられた蛍光管の封止金具と導電線とを接続するコネクタ及び蛍光灯に付属する電装部品を必要とすることを意味し、照明灯自体を重くする。第三に、前記照明灯は、その中に蛍光灯を上方から支持するアームを内蔵させているので、前記照明灯は蛍光灯の重量に比較して重厚なものになる。
【０００６】
そこで、本発明者等は、前記環状化乃至は面状化機能を潜在させながら、前記の問題を解決することを目的に、鋭意、研究したところ、前記蛍光灯の代わりに特定の形状と構造を有するＬＥＤモジュール組立体を使用すればよいという事実を見出し、本発明を完成した。
【０００７】
従って、本発明の第一の課題は、蛍光灯をその途中に屈曲しなければならない特定の技術を要することなく製作できる照明灯及びそれに使用するＬＥＤモジュール組立体を提供することにある。同様に第二の課題は、より軽量な照明灯を提供することにある。第三の課題は、外部と導通する導電線を少なくし、かつそれをシンプルに配線して見栄えを良くすることができる照明灯を提供することにある。
【課題を解決するための手段】
【０００８】
本発明は前記の課題を解決するために、照明灯に使用するＬＥＤモジュール組立体を、複数個のＬＥＤ素子が絶縁基板の上に面状に点在配置されている第一ＬＥＤモジュールと、そこから放射方向の外方に向かって延びる、複数個のＬＥＤ素子が絶縁基板の上に線状に点在配置されている複数個の第二ＬＥＤモジュールとから構成するという手段を採用する。
【０００９】
この手段を採用することにより、第一ＬＥＤモジュールにおいて複数個のＬＥＤ素子が面状に点在配置されている絶縁基板が第二ＬＥＤモジュールに対するテンプレート作用、すなわち、前記絶縁基板が複数個の第二ＬＥＤモジュールを放射方向の外方に延ばす基地的作用を発揮する。
【００１０】
本発明は、さらに前記の課題をより具体的に解決するために、ＬＥＤモジュールを、前記第一ＬＥＤモジュールの平面と第二ＬＥＤモジュールの平面とを面状に合体させた平面の形状が、その中央領域において他の領域より広い平面を有するＹ字形、Ｘ字形、＋字形、星形、＊字形又は米字型にするという手段を採用する。
【００１１】
本発明は、さらに別の観点から前記の課題を解決するために、ＬＥＤモジュールを、前記第一ＬＥＤモジュールの平面と第二ＬＥＤモジュールの平面とがなす面状が、その中央領域において他の領域より広い平面を有するＩ字形にするという手段を採用する。この手段を採用することにより、前記ＬＥＤモジュールを複数個環状に連結することを可能にする。
【００１２】
本発明は、前記の課題をより実際的に解決するために、照明灯を、前記ＬＥＤモジュール組立体と、その組立体を内部に収納する上部殻体と下部殻体とからなるシェル状殻体とから構成するという手段を採用する。
【００１３】
上記の手段を採用することによりＬＥＤモジュール組立体が完全にシェル状殻体に包まれ、その結果、ＬＥＤ素子からの光を前記シェル状殻体の内面で乱反射乃至は拡散させるとともにシェル状殻体の上方にも照射して、照明灯から外方に放射させる光を和らげる。
【００１４】
さらに、前記の実施形態において、前記上部殻体に前記第一、第二ＬＥＤモジュールを固定する取付け部位を設けるという手段を採用する。
【００１５】
この手段により、従来の照明灯において必要だった蛍光灯の支持フレームを不要にする。
【００１６】
本発明は、照明灯の重心部位に照明灯自体を空中に吊り下げる吊下げ索の取付け部材を設けるという手段を採用するとともに、前記吊下げ索に前記ＬＥＤ素子に電力を送る導電線を同伴させる。ここで重心とは、照明灯自体を水平にバランスさせながら吊り下げることができる仮想的二次元面の中心を意味する。
【００１７】
この手段を採用することにより、建物の天井や地上に立設した支柱等の剛体から１本の吊下げ索により、照明灯を水平にバランスさせて維持可能になるとともに、１本しかない、ＬＥＤモジュールに電力を入力する導電線をシンプルに配線可能になる。
【００１８】
また、本発明は、それら係る照明灯に、前記シェル状殻体の上部殻体と下部殻体に対して緊束を施す緊束金具をシェル状殻体の外方端部に設けるという手段を採用する。
【００１９】
この手段を採用することにより、シェル状殻体の内部空間を最大限に利用可能になる。
【発明の効果】
【００２０】
本発明は、照明灯を特定の技術を要することなく製作できる軽量な照明灯及びそれに使用される特定の形状・構造を有するＬＥＤモジュール組立体を提供できるとともに、照明灯の外観形状をシンプルにできるという優れた効果を発揮し、複数個の照明灯を集合させた照明装置を創成したとき、その照明装置に環状化乃至は面状化作用を潜在させることができるという優れた効果を発揮する。
【図面の簡単な説明】
【００２１】
【図１】本発明に係る照明灯の部分破断斜視図である。
【図２】同じく部分破断側面図である。
【図３】シェル状殻体の外端部を示す分解斜視図である。
【図４】緊束金具が組込まれた前記外端部の縦断面図である。
【図５】本発明に係る照明灯の部分破断平面図である。
【図６】本発明に係るＬＥＤモジュール組立体の第一の実施態様を示す概略平面図である。
【図７】同じくＬＥＤモジュール組立体の第二の実施態様を示す概略平面図である。
【図８】同じくＬＥＤモジュール組立体の第三の実施態様を示す概略平面図である。
【図９】同じくＬＥＤモジュール組立体の第四の実施態様を示す概略平面図である。
【図１０】同じくＬＥＤモジュール組立体の第五の実施態様を示す概略平面図である。
【図１１】同じくＬＥＤモジュール組立体の第六の実施態様を示す概略平面図である。
【図１２】同じくＬＥＤモジュール組立体の第七の実施態様を示す概略平面図である。
【図１３】同じくＬＥＤモジュール組立体の第八の実施態様を示す概略平面図である。
【図１４】第一、第二ＬＥＤモジュールの突き合わせ状態を示す部分平面図である。
【図１５】本発明に係る照明灯の吊り下げ状態を示す部分断面図である。
【図１６】従来技術に係る照明灯の部分破断斜視図である。
【図１７】図１６におけるＡ−Ａ矢視断面図である。
【発明を実施するための形態】
【００２２】
次に、図面に添って本発明を実施するための最良の実施形態を詳述する。図１及び図２に示すように、本発明に係る照明灯１０は、基本的には、平面形状がＸ字形をなし、上下方向の断面が下向きの凹状をなす上部殻体１１及び同じく前記断面が凹状をなす下部殻体１２が上下対称的に合体した樹脂製のシェル状殻体（第一の主要素）１３と、そのシェル状殻体１３の中において上部殻体１１に垂下固定されているＬＥＤモジュール組立体（第二の主要素）１４とからなる。
【００２３】
本発明の第一の主要素であるシェル状殻体の構造をさらに詳述すると、図３及び図４に示すように、シェル状殻体１３の上部殻体１１の裏側中心部位には、前記ＬＥＤモジュール組立体１４を吊り下げる取付け部材１５が複数個設けられているとともに、その取付け部材１５の外周部位及び上部殻体１１のうち外方に延びる腕部には、前記ＬＥＤモジュール組立体１４を固定する垂下固定部材１６が複数個設けられている。
【００２４】
前記上部殻体１１と対称的に嵌合する下部殻体１２の凹状空間には何も設けられることなく、下部殻体１２の上端面部に形成されている嵌入凸条部１７を上部殻体１１の下端面部に形成されている嵌合凹溝部１８に嵌入させることにより、下部殻体１２が上部殻体１１を下方から塞ぐ下蓋機能を発揮している。
【００２５】
さらに、前記ＬＥＤモジュール組立体１４の外方端部には、前記上部殻体１１と下部殻体１２を緊束するための緊束金具１９と、それを被覆するキャップ体２０とが設けられている。前記緊束金具１９は、次のように構成されている。すなわち、前記上部殻体１１と下部殻体１２の端部内面側に、シェル状殻体１３の中心に向かってそれぞれ迫り出し・形成した上部係止部２１と下部係止部２２に同時に係止される環状体２３と、前記上部殻体１１と下部殻体１２の外周面より縮径されているとともに、前記上部係止部２１と下部係止部２２を束ねるように、それらの外周面を嵌入させる段差付き緊束金具本体２４と、キャップ体２０においてその端部内面側に中心に向かって迫り出し形成した係止部２５に係止される円板体２６と、前記環状体２３と円板体２６とを一体的に固定することにより、シェル状殻体１３とキャップ体２０を連結するとともに、緊束金具本体２４を外部に露出させないように機能する締め付け体２７とから構成されている。
【００２６】
なお、この実施形態においては、前記締め付け体２７として、ねじ２７ａとナット２７ｂが使用されているとともに、前記円板体２６、緊束金具本体２４及び環状体２３のそれぞれには、前記ねじ２７ａを挿通する透孔２６ａ、２４ａ、２３ａが透設されている。さらに、前記環状体２３及び円板体２６をシェル状殻体１３及びキャップ体２０に係止させるには、前者は、上部殻体１１の所定位置に環状体２３を静置してから下部殻体１２を上部殻体１１に組み付ける方法を採用し、後者は、キャップ体２０を弾性材料から製作することにより、円板体２６をキャップ体２０に圧入する方法を採用する。
【００２７】
次に、本発明の第二の主要素であるＬＥＤモジュール組立体について詳述する。図５に示すように、ＬＥＤモジュール組立体１４は、複数個のＬＥＤ素子３０が第一絶縁基板３３の上に面状に点在配置されている第一ＬＥＤモジュール３１と、そこから放射方向の外方に向かって延びる、複数個のＬＥＤ素子３０が第二絶縁基板３４の上に線状に点在配置されている複数個の第二ＬＥＤモジュール３２とからなる。
【００２８】
本発明に係るＬＥＤモジュール組立体１４において、第一ＬＥＤモジュール３１として、複数個のＬＥＤ素子３０が第一絶縁基板３３上に面状に点在配置されている構造のモジュールを採用するのは、次の理由による。これまで周知の照明灯は、直管型、ヘアピン管型又は環状管型の蛍光灯を使用するものであり、大きな建物内において比較的広い空間を明るくしようとする場合、直管型蛍光灯を多数本平行に設置する照明方式しかないので、マクロ的に見て照明灯を面状に配置する照明装置が必要であるという理由に依る。なお、ここで照明装置とは、複数個の照明灯が集合的に配置される照明灯群を意味する。
【００２９】
そこで、本発明者らは、ＬＥＤモジュール特有の機能を利用して、前記第一ＬＥＤモジュール３１の平面が略四角形をなす第一絶縁基板３３の周端部に対して、複数個のＬＥＤ素子３０が線状に点在配置されている第二ＬＥＤモジュール３２を複数個接合した照明灯を創出すれば、第一ＬＥＤモジュール３１はテンプレート機能、すなわち、第一絶縁基板３３が複数個の第二ＬＥＤモジュールを放射方向の外方に延ばす基地的作用を発揮して、前記照明装置を実現できるという技術思想（基本的技術思想）を確立したのである。
【００３０】
従って、本発明において最も好ましい実施態様（第一実施態様）により得られたＬＥＤモジュール組立体１４は、その平面において、図６に示すように、その中央領域Ｃ，言い換えると第一ＬＥＤモジュール３１の第一絶縁基板３３が他の領域、言い換えると第二ＬＥＤモジュール３２の第二絶縁基板３４より広がっているＸ字形をなす。なお、この実施態様において、第二ＬＥＤモジュール３２は、４個のＬＥＤモジュール３２ａ，３２ｂ，３２ｃ，３２ｄからなるとともに、隣接するＬＥＤモジュール間の開度は異なる。すなわち、第一番目のＬＥＤモジュール３２ａと第二番目のＬＥＤモジュール３２ｂとの開度α１は、第三番目のＬＥＤモジュール３２ｃと第四番目のＬＥＤモジュール３２ｄとの開度α２とが実質上同一の鈍角、好ましくは９８〜１６４度の範囲にある。これは後述する第一の機能である線状化機能を第二の機能である面状化機能より強化するためである。
【００３１】
さらに、同様に本発明は、この基本的技術思想を踏襲して、図７に示すように、第一ＬＥＤモジュール３１の平面と第二ＬＥＤモジュール３２の平面とを平面状に合体させた平面形状が、略三角形をなす中央領域Ｃに膨みを有するＹ字形にしたＬＥＤモジュール組立体１４（第二実施態様）、図８に示すように平面形状が＋字形を有するＬＥＤモジュール組立体１４（第三実施態様）、図９に示すように第二ＬＥＤモジュール３２が第一ＬＥＤモジュール３１から外方に５本延びる星形をなすＬＥＤモジュール組立体１４（第四実施態様）、図１０に示すように＊字形をなすＬＥＤモジュール組立体１４（第五実施態様）及び図１１に示すように米字形をなすＬＥＤモジュール組立体１４（第六実施態様）を得ることができる。
【００３２】
以上、図示した一つのＬＥＤモジュール組立体（単位ＬＥＤモジュール組立体）１４を複数個使用して、前述した照明装置に組立てる場合において、第二ＬＥＤモジュール３２は次の機能を発揮する。すなわち、図６に示したように、一つの単位ＬＥＤモジュール組立体１４において複数個存在する非直線的位置関係にある一組の第二ＬＥＤモジュール３２ａ、３２ｂを、他の単位ＬＥＤモジュール組立体における同様の第二ＬＥＤモジュールと連結すると、それらの第二ＬＥＤモジュールは、環状化機能を発揮する。そのため本発明に係るＬＥＤモジュール３２を複数個環状に連結した照明装置を創出すれば、その装置は環状空間領域を照らす新しい照明装置を創出できる。他方、この実施形態における残りの第二ＬＥＤモジュール３２ｃ、３２ｄは、照明装置において環状領域以外の面状領域を照射する機能を発揮する。
【００３３】
他方、直線的位置関係にある一組の第二ＬＥＤモジュール３２ａ、３２ｃを同様に他の単位ＬＥＤモジュール組立体における同様の第二ＬＥＤモジュールと連結すれば、それらは線状化機能を発揮し、それを仕様する照明灯を多数個の線状に配置した照明装置を創出すれは、その装置は面状の空間領域を照らすことができる。この実施形態における残りの第二ＬＥＤモジュール３２ｂ、３２ｄは、照明装置において線状領域以外の面状領域を照射する機能を発揮する。
【００３４】
従って、本発明に係るＬＥＤモジュール組立体は、それとシェル状殻体とを使用して照明灯を製作するとき、本発明に係る二対の第二ＬＥＤモジュールはそれぞれ異なった二つの重要な機能、すなわち、一つは照明装置を環状又は線状のいずれかの空間を照射する第一機能を、他の一つは、前記空間以外の面状空間を照射する第二機能をそれぞれ発揮する。
【００３５】
さらに本発明に係るＬＥＤモジュール組立体における第二ＬＥＤモジュール３２の長さについて説明すると、第二ＬＥＤモジュール３２の長さを相異させて、前記照明装置を製作することができる。図１２に示すように、第二ＬＥＤモジュール３２の長さＬ２を、図８に示した第二ＬＥＤモジュール３２の長さＬ１より小さくして、前記平面形状がＩ字形のＬＥＤモジュール組立体を使用した複数の照明灯を連結して照明装置を製作すると、前記第二機能をさして期待しない照明装置を創出できる。逆に、図１３に示すように、第二ＬＥＤモジュール３２の長さＬ３を、前記同様に大きくするとともに、それを非直線状にして、前記平面形状が屈曲したＬＥＤモジュール組立体を使用した複数の照明灯を連結して照明装置を製作すると、前記第一、二機能は幾分減殺されるけれども、それらを同時に発揮させた照明装置を創出できる。
【００３６】
さらに本発明に係るＬＥＤモジュール組立体について説明すると、前記ＬＥＤモジュール組立体とシェル状殻体とを使用して照明灯を製作して、前述した照明灯を空中に吊り下げるとき、その照明灯をバランスよく水平に保持できるようにするために、第一ＬＥＤモジュール３１の中心位置を、ＬＥＤモジュール組立体そのものの中心と一致させることにより。照明灯自体を吊下げる負荷をかからないようにしている。
【００３７】
また、ＬＥＤモジュール組立体において第一ＬＥＤモジュール３１の平面と第二ＬＥＤモジュール３２の平面とを面状に合体させる手段として、それらの基板である第一絶縁基板３３と第二絶縁基板３４とを１枚の絶縁基板原板から切り出して一体形成する手段や、別々に切り出してそれらを突き合わせ接合する手段等があるが、生産効率を考慮して、複数本の同一仕様の第二ＬＥＤモジュール３２を製造し、それらの中から必要な本数の第二ＬＥＤモジュール３２を無作為に選択して第一ＬＥＤモジュール３１に突き合わせ接合する手段が好適に採用される。具体的には、図１４に示すように、第一絶縁基板３３と第二絶縁基板３４の接合側に配線５５同士を接合する一対のコネクタ３５を第二絶縁基板に、コネクタ３６を第一絶縁基板に設け、コネクタ接合を行う事によって、第一、第二ＬＥＤモジュール３１、３２が面状に突合せ接合される。
【００３８】
このように一体化された第一、第二絶縁基板３３，３４の上面には、全てのＬＥＤ素子３０の基部を接続する電気回路５５が張り巡らされているとともに、図１５に示すように、その電気回路５５に対する入出力コネクタ３７が設置されている。そしてこの入出力コネクタ３７に照明灯１０に対する電力の導電線３８のコネクタ３９が接合可能になっている。
【００３９】
また、ＬＥＤモジュール組立体を前記上部殻体に固定するには、図２及び図１５に示したように、第一ＬＥＤモジュール３１に４個の透孔４０を分配配置するとともに、第二ＬＥＤモジュール３２にも同様の透孔４１を同様に点在配置する。そして、それらの透孔４０、４１に第一ＬＥＤモジュール３１の下面からビスねじ５６を挿入して、上部殻体１１の取付け部位１５、１６にねじ込む。
【００４０】
以上、説明したように本発明に係る照明灯１０は完成するが、この照明灯１０を建物の天井又は支柱等から空中に吊り下げるために、上部殻体１１の中心部位に凹状天井部４２を形成して、すり鉢状の傾斜壁部４３とともに底部４４を形成する。そしてその底部４４に貫通孔４５を設ける。
【００４１】
他方、凹状天井部４２の表面側に、内面の雌ねじ４６を有するとともに頂部に透孔４７を有する釣鐘状係止金具４８を用意する。そして、この釣鐘状係止金具４８の透孔４７に対して、先端にボールシャンク４９を取り付けた吊下げ索５０を通して、ボールシャンク４９が前記釣鐘状係止金具４８の内包空間５１に係止されるようする。前記底部４４の貫通孔４５に係止ボルト５２を通し、前記釣鐘状係止金具４８の雌ねじ４６と螺合して、前記底部４４を前記吊下げ索５０で引っ張りあげたとき、上部殻体１１、ひいては照明灯１０を空中に吊り下げ可能にする。前記吊下げ索５０により照明灯１０を空中に吊り下げたとき、鉢状の傾斜壁部４３が上方にテーパー状なっているので、前記底部４４が受ける照明灯１０の重力負荷が上部殻体１１における凹状天井部４２の周囲に分散して、樹脂材料からなる上部殻体１１の局部破壊が抑制される。
【００４２】
このように吊下げ索５０により空中に吊り下げられた照明灯１０のＬＥＤ素子に電力を伝達する導電線３８は、収束具５３により、前記吊下げ索５０と一緒に収束されるので、結果的には前記吊下げ索５０と同伴して空中における照明灯１０の見栄えを良好にする。なお、前記係止ボルト５２により、前記底部４４と前記釣鐘状係止金具４８を締め付けるとき、その係止ボルト５２の頭部５２ａと前記底部４４との間に、吊下げ索５０の把持金具５３を介在させておくと、前記把持金具５３は上部殻体１１と第一ＬＥＤモジュール３１との間における導電線３８の配線を整理する機能を発揮する。
【００４３】
本発明は、その根本的技術思想を踏襲し発明の効果を著しく損なわない範囲において、前記実施形態の一部分を変更して実施することができる。例えば、前記係止金具４８の透孔４７の上方開口部をすり鉢状にすることにより、照明灯１０がバランスを崩して非水平状になって前記吊下げ索５０の吊り下げ角が変化しても、吊下げ索５０が透孔４７の開口で破断するのを阻止するようにすることもできる。
【産業上の利用可能性】
【００４４】
本発明は、ＬＥＤモジュールを利用する照明灯を多数個配置する線状、又は環状空間及び平面状空間を照らす照明装置の分野に広く利用することができる。
【符号の説明】
【００４５】
１：上部殻体、２：下部殻体、３：シェル状殻体、４：フレーム、５：蛍光灯、１０：照明灯、１１：上部殻体、１２：下部殻体、１３：シェル状殻体、１４：ＬＥＤモジュール組立体、１５：取付け部材、１６：垂下固定部材、１７：嵌入凸条部、１８：嵌合凹溝部、１９：緊束金具、
２０：キャップ体、２１：上部係止部、２２：下部係止部、２３：環状体、２４：緊束金具本体、２５：係止部、２６：円板体、２７：締め付け体、３０：ＬＥＤ素子、３１：第一ＬＥＤモジュール、３２：第二ＬＥＤモジュール、３３：第一絶縁基板、３４：第二絶縁基板、３５：コネクタ、３６：コネクタ、３７：入出力コネクタ、３８：導電線、３９：コネクタ、４０：透孔、４１：透孔、４２：凹状天井部、４３：傾斜壁部、４４：底部、４５：貫通孔、４６：雌ねじ、４７： 透孔、４８：釣鐘状係止金具、４９：ボールシャンク、５０：吊下げ索、５２：係止ボルト、５３：収束具、５４：収束具、５５：電気回路。
【図１】
2015149202.tif 000003
【図２】
2015149202.tif 000004
【図３】
2015149202.tif 000005
【図４】
2015149202.tif 000006
【図５】
2015149202.tif 000007
【図６】
2015149202.tif 000008
【図７】
2015149202.tif 000009
【図８】
2015149202.tif 000010
【図９】
2015149202.tif 000011
【図１０】
2015149202.tif 000012
【図１１】
2015149202.tif 000013
【図１２】
2015149202.tif 000014
【図１３】
2015149202.tif 000015
【図１４】
2015149202.tif 000016
【図１５】
2015149202.tif 000017
【図１６】
2015149202.tif 000018
【図１７】
2015149202.tif 000019